(57)【要約】【課題】  一対のコネクタ本体の接続力を維持するとともに、それら相対位置も正確に特定できるコネクタを提供することである。【解決手段】  一対のコネクタ本体Ａ，Ｂのそれぞれに複数の端子１，２を設け、一方のコネクタ本体Ａの対向面側に複数の磁極が現われる構成にし、他方のコネクタ本体Ｂの対向面側には、一方のコネクタ本体の磁極と配置を対応させるとともに、一方のコネクタ本体Ａの磁極と極性を異にした同数の磁極が現われる構成にしている。そして、上記各コネクタ本体Ａ，Ｂの複数の磁極は、コネクタ本体の対向面の中心を回転中心とした回転角が０度あるいは３６０度の位置でのみ同一に表れる配置にしている。【選択図】  図１
2010113956.tif 000002
【特許請求の範囲】
【請求項１】
一対のコネクタ本体のそれぞれに複数の端子を設け、両コネクタ本体の対向面側に、それらコネクタ本体を接続する位置関係を特定する磁石を設け、これら磁石が互いに引き付けあった状態で、両コネクタ本体を接続する位置関係が必然的に決まる構成にしたコネクタ。
【請求項２】
一対のコネクタ本体のそれぞれに複数の端子を設け、一方のコネクタ本体の対向面側に複数の磁極が現われる構成にし、他方のコネクタ本体の対向面側には、一方のコネクタ本体の磁極と配置を対応させるとともに、一方のコネクタ本体の磁極と極性を異にした磁極が現われる構成にする一方、上記各コネクタ本体の複数の磁極は、コネクタ本体の対向面の中心を回転中心とした回転角が０度あるいは３６０度の位置でのみ同一に表れる配置にした請求項１記載のコネクタ。
【請求項３】
一対のコネクタ本体のうち、少なくとも一方のコネクタ本体の対向面に面からなる複数の端子を設け、他方のコネクタ本体の対向面に面またはピンからなる複数の端子を設ける一方、それらコネクタ本体の対向面には互いに対向するとともにそれら磁極を異にした複数の磁石を設け、これら磁石は、対向する端子同士が接続状態を保つ範囲内で相対移動可能にした請求項１又は２記載のコネクタ。
【発明の詳細な説明】
【技術分野】
【０００１】
この発明は、一対のコネクタ本体を、相対位置を特定して接続するコネクタに関する。
【背景技術】
【０００２】
一般に、一対のコネクタ本体に設けた複数の端子を正確に接触させなければコネクタとして機能しなくなる。そこで、一対のコネクタ本体の対向面に磁石を設け、これら磁石の吸引力を利用してコネクタ本体同士を接続させるようにしたものが、従来から知られている。
しかし、コネクタはそのコネクタ本体同士がきっちりと接触するというだけでなく、それら相対する端子が正確に接触しなければならない。言い換えると、一対のコネクタ本体の接続時の相対位置が正確に特定されていなければならない。なぜなら、それらの相対位置がずれたりすると、当該コネクタを介して接続した電子機器等が正常に機能しなくなるからである。
【特許文献１】特開２００６−１２０４９８号公報
【発明の開示】
【発明が解決しようとする課題】
【０００３】
上記した従来のコネクタでは、コネクタ本体の接続力を維持することはできるが、一対のコネクタ本体の相対位置を正確に特定することができないという問題があった。
この発明の目的は、一対のコネクタ本体の接続力を維持するとともに、それら相対位置も正確に特定できるコネクタを提供することである。
【課題を解決するための手段】
【０００４】
第１の発明は、一対のコネクタ本体のそれぞれに複数の端子を設け、両コネクタ本体の対向面側に、それらコネクタ本体を接続する位置関係を特定する磁石を設け、これら磁石が互いに引き付けあった状態で、両コネクタ本体を接続する位置関係が必然的に決まる構成にした点に特徴を有する。
【０００５】
第２の発明は、一対のコネクタ本体のそれぞれに複数の端子を設け、一方のコネクタ本体の対向面側に複数の磁極が現われる構成にし、他方のコネクタ本体の対向面側には、一方のコネクタ本体の磁極と配置を対応させるとともに、一方のコネクタ本体の磁極と極性を異にした磁極が現われる構成にする一方、上記各コネクタ本体の複数の磁極は、コネクタ本体の対向面の中心を回転中心とした回転角が０度あるいは３６０度の位置でのみ同一に表れる配置にした点に特徴を有する。
なお、この発明においては、コネクタ本体の対向側面に複数の磁極が現われれば、磁石を複数設ける必要はない。
【０００６】
第３の発明は、一対のコネクタ本体のうち、少なくとも一方のコネクタ本体の対向面に面からなる複数の端子を設け、他方のコネクタ本体の対向面に面またはピンからなる複数の端子を設ける一方、それらコネクタ本体の対向面には互いに対向するとともにそれら磁極を異にした複数の磁石を設け、これら磁石は、対向する端子同士が接続状態を保つ範囲内で相対移動可能にした点に特徴を有する。
【発明の効果】
【０００７】
第１および２の発明によれば、磁石が互いに引き付けあった状態で、両コネクタ本体を接続する位置関係が特定されるので、常に、正確な接続が可能になり、当該コネクタを介して接続される電子機器等を正確に作動させることができる。
特に、第２の発明によれば、両コネクタ本体を接続する位置関係が必然的に特定されるので、さらに正確な接続が可能になる。
第３の発明によれば、一対のコネクタ本体を接続するとき、それらの相対位置関係を意図的に調整することができる。
【発明を実施するための最良の形態】
【０００８】
図１に示した第１実施形態は、一対のコネクタ本体Ａ，Ｂの対向面を円形にするとともに、一方のコネクタ本体Ａの対向面における周方向にピンからなる端子１を設け、他方のコネクタ本体Ｂの対向面における周方向には上記端子１が差し込まれる穴からなる端子２を設けている。
また、一方のコネクタ本体Ａの対向面であって、上記端子１の内側に沿った周方向に磁石ｍ１，ｍ２を設けている。これら磁石のうち、磁石ｍ１の周方向長さを、磁石ｍ２の周方向長さよりも長くするとともに、それら両磁石ｍ１、ｍ２の間に間隔を保っている。そして、上記磁石ｍ１はＮ極を表面にするとともに、磁石ｍ２はＳ極を表面にしている。
【０００９】
さらに、他方のコネクタ本体Ｂの対向面であって、上記端子２の内側に沿った周方向に磁石ｍ３，ｍ４を設けている。このようにした磁石のうち、磁石ｍ３の周方向長さを、磁石ｍ４の周方向長さよりも長くするとともに、それら両磁石ｍ３、ｍ４の間に間隔を保っている。そして、上記磁石ｍ３はＳ極を表面にするとともに、磁石ｍ４はＮ極を表面にしている。
つまり、この他方のコネクタ本体Ｂは、長い磁石と短い磁石との配置を、一方のコネクタ本体Ａと同じにするとともに、それらの極性を反対にしたものである。
【００１０】
いずれにしても、上記両コネクタ本体Ａ，Ｂのうち、一方のコネクタ本体Ａの対向面側に複数の磁極が現われる構成にし、他方のコネクタ本体Ｂの対向面側には、一方のコネクタ本体Aの磁極と配置を一致させるとともに、一方のコネクタ本体Ａの磁極と極性を異にした同数の磁極が現われる構成にしている。そして、上記両コネクタ本体Ａ，Ｂの複数の磁極は、それらコネクタ本体の対向面の中心を回転中心とした回転角が０度あるいは３６０度の位置でのみ同一に表れる配置にしている。
【００１１】
上記のようにした第１実施形態のコネクタでは、一対のコネクタ本体Ａ，Ｂを互いに近づけることによって、磁石ｍ１とｍ３、ｍ２とｍ４のそれぞれが磁気的に引き合って吸着する。このとき、磁石ｍ１とｍ３、ｍ２とｍ４の相対位置がずれると、一方のコネクタ本体Ａにおける磁石ｍ２のＳ極と、他方のコネクタ本体Ｂにおける磁石ｍ３のＳ極同士が反発しながら、対向するＳ極とＮ極とが吸着しようとする。したがって、一対のコネクタ本体Ａ，Ｂの相対位置が必然的に特定されることになる。
このように一対のコネクタ本体Ａ，Ｂの相対位置が特定されることによって、端子１および２が正確に接続されることになる。
【００１２】
図２に示した第２実施形態は、一対のコネクタ本体Ａ，Ｂの対向面の周方向に、第１実施形態と同様に磁石ｍ１，ｍ２および磁石ｍ３，ｍ４を設けるとともに、この磁石ｍ１，ｍ２およびｍ３，ｍ４の内側に端子１，２を設けたもので、その他は、第１実施形態と同様である。
したがって、この第２実施形態においても、第１実施形態と同様に、一対のコネクタ本体Ａ，Ｂを互いに近づけることによって、磁石ｍ１とｍ３、ｍ２とｍ４のそれぞれが磁気的に引き合って吸着する。このとき、磁石ｍ１とｍ３、ｍ２とｍ４の相対位置がずれると、一方のコネクタ本体Ａにおける磁石ｍ２のＳ極と、他方のコネクタ本体Ｂにおける磁石ｍ３のＳ極同士が反発しながら、対向するＳ極とＮ極とが吸着しようとする。したがって、一対のコネクタ本体Ａ，Ｂの相対位置が必然的に特定され、端子１，２が正確に接続されることになる。
【００１３】
そして、この第２実施形態においても、上記両コネクタ本体Ａ，Ｂのうち、一方のコネクタ本体Ａの対向面側に複数の磁極が現われる構成にし、他方のコネクタ本体の対向面側には、一方のコネクタ本体Ｂの磁極と配置を一致させるとともに、一方のコネクタ本体Ａの磁極と極性を異にした同数の磁極が現われる構成にしている。そして、上記両コネクタ本体Ａ，Ｂの複数の磁極は、それらコネクタ本体の対向面の中心を回転中心とした回転角が０度あるいは３６０度の位置でのみ同一に表れる配置にしている。
【００１４】
図３に示した第３実施形態は、一対のコネクタ本体Ａ，Ｂのうち、一方のコネクタ本体Ａの対向面には、その対向面における周方向に面からなる端子３を設け、他方のコネクタ本体Ｂの対向面には、その対向面における周方向にピンからなる端子４を設けている。
また、両コネクタ本体Ａ，Ｂの対向面であって、上記端子３，４の内側に沿って周方向に磁石ｍ１，ｍ２およびｍ３、ｍ４を設けている。これら磁石ｍ１，ｍ２およびｍ３、ｍ４は、第２実施形態と同様の配置にしたものである。
なお、両端子３，４はともに面で構成してもよい。
【００１５】
この第３実施携帯においても、上記両コネクタ本体Ａ，Ｂのうち、一方のコネクタ本体Ａの対向面側に複数の磁極が現われる構成にし、他方のコネクタ本体の対向面側には、一方のコネクタ本体Ｂの磁極と配置を対応させるとともに、一方のコネクタ本体Ａの磁極と極性を異にした同数の磁極が現われる構成にしている。そして、上記両コネクタ本体Ａ，Ｂの複数の磁極は、それらコネクタ本体の対向面の中心を回転中心とした回転角が０度あるいは３６０度の位置でのみ同一に表れる配置にしている。
【００１６】
そして、上記磁石ｍ１およびｍ２の周方向の長さを、これら磁石ｍ１およびｍ２に対向する磁石ｍ３およびｍ４の周方向の長さよりも長くするとともに、磁石ｍ１とｍ２、磁石ｍ３とｍ４との間に間隔を保持している。
【００１７】
したがって、この第３実施形態においても、第２実施形態と同様に、一対のコネクタ本体Ａ，Ｂを互いに近づけることによって、磁石ｍ１とｍ３、ｍ２とｍ４のそれぞれが磁気的に引き合って吸着する。このとき、磁石ｍ１とｍ３、ｍ２とｍ４の相対位置がずれると、一方のコネクタ本体Ａにおける磁石ｍ２のＳ極と、他方のコネクタ本体Ｂにおける磁石ｍ３のＳ極同士が反発しながら、対向するＳ極とＮ極とが吸着しようとする。したがって、一対のコネクタ本体Ａ，Ｂの相対位置が必然的に特定され、端子３，４が正確に接続されることになる。
【００１８】
ただし、この第３実施形態においては、磁石ｍ１およびｍ２の長さを、磁石ｍ３およびｍ４の長さよりも長くしたので、対向する端子同士が接触状態を保つ範囲内で、両コネクタ本体Ａ，Ｂの対向位置を周方向に多少ずらしたとしても、両者の接続状況を保つことができる。さらに、この第３実施形態では、一方の端子３を面で構成し、他方の端子４をピンで構成しているので、上記のように両コネクタ本体Ａ、Ｂを周方向にずらしても、それら端子３，４の接続状況を保つことができる。したがって、一対のコネクタ本体Ａ，Ｂの回転方向の位置関係を、意図的に調整することができる。
【００１９】
図４に示した第４実施形態は、一対のコネクタ本体Ａ，Ｂの対向面の形状を略四角形にするとともに、その周囲に沿って、一方のコネクタ本体Ａの対向面にピンからなる端子１を設け、他方のコネクタ本体Ｂの対向面に穴からなる端子２を設けたものである。
そして、これら端子１，２の内側には、磁石ｍ１とｍ２、ｍ３とｍ４を設けるとともに、互いに対向する磁石の極性を反対にしたものである。
【００２０】
したがって、この第４実施形態においても、各実施形態と同様に、一対のコネクタ本体Ａ，Ｂを互いに近づけることによって、磁石ｍ１とｍ３、ｍ２とｍ４のそれぞれが磁気的に引き合って吸着する。このとき、磁石ｍ１とｍ３、ｍ２とｍ４の相対位置がずれると、一方のコネクタ本体Ａの磁石ｍ２のＳ極と、他方のコネクタ本体Ｂの磁石ｍ３のＳ極同士が反発しながら、対向するＳ極とＮ極とが吸着しようとする。したがって、一対のコネクタ本体Ａ，Ｂの相対位置が必然的に特定され、端子１，２が正確に接続されることになる。
【００２１】
また、この第４実施形態においても、上記両コネクタ本体Ａ，Ｂのうち、一方のコネクタ本体Ａの対向面側に複数の磁極が現われる構成にし、他方のコネクタ本体の対向面側には、一方のコネクタ本体Ｂの磁極と配置を対応させるとともに、一方のコネクタ本体Ａの磁極と極性を異にした同数の磁極が現われる構成にしている。そして、上記両コネクタ本体Ａ，Ｂの複数の磁極は、それらコネクタ本体の対向面の中心を回転中心とした回転角が０度あるいは３６０度の位置でのみ同一に表れる配置にしている。
【００２２】
図５に示した第５実施形態は、一対のコネクタ本体Ａ，Ｂの対向面を長方形にし、この長方形にした対向面の上下２列に端子１，２を設けている。なお、これら端子１，２のいずれか一方が面、あるいは両方が面であってもよいものである。
そして、一方のコネクタ本体Ａの対向面における端子１の列間には、図面左側から４つの磁石ｍ５，ｍ６，ｍ７，ｍ８を所定の間隔を保って一列に設けている。そして、これらのうち磁石ｍ５〜ｍ７はＮ極が表面に現れるようにしている。また、磁石ｍ８は、Ｓ極が表面に現れるようにしている。
【００２３】
他方のコネクタ本体Ｂは、対向面の大きさを一方のコネクタ本体Ａの対向面よりも小さい長方形にしている。言い換えると、他方のコネクタ本体Ｂの対向面の長辺を一方のコネクタ本体Ａの対向面の長辺よりも小さくしている。
このようにした他方のコネクタ本体Ｂの対向面に設けた端子２の数は、一方のコネクタ本体Ａに設けた端子１の数よりも少なくしている。そして、このコネクタ本体Ｂの対向面における端子２の列間には、図面左側から３つの磁石ｍ９，ｍ１０，ｍ１１を所定の間隔を保って一列に設けている。そして、これらのうち磁石ｍ９、ｍ１０はＳ極が表面に現れるようにしている。また、磁石ｍ１１は、Ｎ極が表面に現れるようにしている。
【００２４】
したがって、この第５実施形態においても、各実施形態と同様に、一対のコネクタ本体Ａ，Ｂを互いに近づけることによって、磁石ｍ６とｍ９、ｍ７とｍ１０、ｍ８とｍ１１とのそれぞれが磁気的に引き合って吸着する。このとき、磁石ｍ６とｍ９、ｍ７とｍ１０、ｍ８とｍ１１の相対位置がずれると、一方のコネクタ本体Ａの磁石ｍ７のＮ極と、他方のコネクタ本体Ｂの磁石ｍ１１のＮ極同士が反発しながら、対向するＳ極とＮ極とが吸着しようとする。したがって、一対のコネクタ本体Ａ，Ｂの相対位置が必然的に特定され、端子１，２が正確に接続されることになる。
【００２５】
また、この第５実施形態においても、上記両コネクタ本体Ａ，Ｂのうち、一方のコネクタ本体Ａの対向面側に複数の磁極が現われる構成にし、他方のコネクタ本体の対向面側には、一方のコネクタ本体Ｂの磁極と配置を対応させるとともに、一方のコネクタ本体Ａの磁極と極性を異にした同数の磁極が現われる構成にしている。そして、上記両コネクタ本体Ａ，Ｂの複数の磁極は、それらコネクタ本体の対向面の中心を回転中心とした回転角が０度あるいは３６０度の位置でのみ同一に表れる配置にしている。
【図面の簡単な説明】
【００２６】
【図１】第１実施形態を示すもので、（イ）は一方のコネクタ本体の対向面を示し、（ロ）は他方のコネクタ本体の対向面を示すものである。
【図２】第２実施形態を示すもので、（イ）は一方のコネクタ本体の対向面を示し、（ロ）は他方のコネクタ本体の対向面を示すものである。
【図３】第３実施形態を示すもので、（イ）は一方のコネクタ本体の対向面を示し、（ロ）は他方のコネクタ本体の対向面を示すものである。
【図４】第４実施形態を示すもので、（イ）は一方のコネクタ本体の対向面を示し、（ロ）は他方のコネクタ本体の対向面を示すものである。
【図５】第５実施形態を示すもので、（イ）は一方のコネクタ本体の対向面を示し、（ロ）は他方のコネクタ本体の対向面を示すものである。
【符号の説明】
【００２７】
Ａ        一方のコネクタ本体
Ｂ        他方のコネクタ本体
ｍ１〜ｍ１１  磁石
１〜４    端子
【図１】
2010113956.tif 000003
【図２】
2010113956.tif 000004
【図３】
2010113956.tif 000005
【図４】
2010113956.tif 000006
【図５】
2010113956.tif 000007